(57)【要約】【課題】主回路の短絡機能と接地回路の開放機能を併せ持って試験時の作業簡素化が図れるように改良した電力変換装置の試験用回路短絡装置を提供する。【解決手段】短絡コネクタのソケットを金属製のカバー付き取付基台３に搭載してフレーム１に装着し、主回路の絶縁抵抗／耐電圧試験の実施に際して取付基台のカバー４を開放した上で、試験用ソケット５に短絡プラグ７を差し込んで主回路を短絡するようにした試験用回路短絡装置２において、前記取付基台３を絶縁板１１を介してフレーム１に装着するとともに、カバー４を閉位置係止するキャッチャー１０を取付基台３の台枠と分離して絶縁板１１に固定した金属製のキャッチャー受け台１２に設け、さらに主回路の接地線１３，１４を、キャッチャー受け台１２，カバー４を経由して接地点との間に配線し、試験時にカバー４を開放した状態で接地点から切り離すようにする。【選択図】図１
2007259680.tif 000002
【特許請求の範囲】
【請求項１】
絶縁抵抗／耐電圧試験の実施に際して電力変換装置の主回路を短絡するための試験用回路短絡装置であり、主回路に配線接続した短絡コネクタを金属製のカバー付き取付基台に搭載して主回路機器を格納した筐体のフレームに装着し、試験時には前記取付基台の前面に配したカバーを開放した上で、短絡コネクタに短絡プラグを差し込んで電力変換装置の主回路を短絡するようにしたものにおいて、
前記のカバー付き取付基台をフレームから絶縁して装着した上で、主回路側から引出した接地線を前記の取付基台およびカバーを経由して接地点との間に配線し、試験時にカバーを開放した状態で接地線を接地点から切り離すようにしたことを特徴とする電力変換装置の試験用回路短絡装置。
【請求項２】
請求項１に記載の試験用回路短絡装置において、背面に絶縁板を取り付けた金属製の台枠と、該台枠の前端にヒンジ結合した片開き式の金属製カバーと、前記台枠と分離して前記絶縁板に取付け、かつその前端に前記カバーを閉位置に係止するキャッチャーを備えた金属製のキャッチャー受け台とで短絡コネクタの取付基台を構成し、さらに主回路側から引出した接地線を、前記のキャッチャー受け台，カバーを経由して接地点との間に配線したことを特徴とする電力変換装置の試験用回路短絡装置。
【請求項３】
請求項１または２に記載の試験用回路短絡装置において、取付基台上に、前後方向の取付高さを変えて短絡コネクタと短絡プラグ保管用のダミーソケットとを並設したことを特徴とする電力変換装置の試験用回路短絡装置。
【発明の詳細な説明】
【技術分野】
【０００１】
本発明は、鉄道車両に搭載したインバータ装置などに適用するに電力変換装置の試験用回路短絡装置に関する。
【背景技術】
【０００２】
周知のように鉄道車両には電源システムの電力変換装置として車両の床下にインバータ装置を搭載しており、車両の定期点検時にはインバータ装置の絶縁抵抗／耐電圧試験を実施するようにしている。
【０００３】
この絶縁抵抗／耐電圧試験は、インバータ装置を電源，負荷から断路した上で、その主回路（インバータユニットの入力側および出力側）の配線相互間を短絡し、さらにノイズフィルタ（ライン・バイパス・コンデンサ）の接地を切り離した上で、外部から点検箇所に試験電圧を印加して試験を行うようにしている（例えば、特許文献１参照）。
【０００４】
一方、車両床下の狭い空間に搭載したインバータ装置について、絶縁抵抗／耐電圧試験時に主回路を短絡する作業が簡単に行えるようにするために、従来では試験用回路短絡装置として、次記のような短絡コネクタをインバータ装置の筐体フレームに装備しておき、試験の際に短絡プラグを短絡コネクタのソケットに差し込んで主回路の配線を一括して短絡する方法が製品に実施化されており、その従来構造を図４に示す。
【０００５】
図４（ａ）〜（ｃ）において、１はインバータユニットなどの主回路機器を格納して車両の床下に取付けた筐体のフレーム、２がフレーム１に装着した主回路短絡用の回路短絡装置であり、この短絡装置２は前端に金属製のカバー４を組み合わせた取付基台３に、短絡コネクタとして試験用ソケット５とダミーソケット６（短絡プラグ保管用の空ソケット）を左右に並設した上で、いずれか一方のソケットを選択して短絡プラグ７を差し込むようにした構造になり、試験用ソケット５にはインバータ装置の主回路から引き出した短絡用配線８を接続し、このソケットに短絡プラグ７を差し込むことでインバータ装置の主回路相互間を短絡するようにしている。なお、試験用ソケット５は支柱５ａに取り付けてダミーソケット６との間に段差を設け、カバー４を開放して試験用ソケット５に短絡プラグ７を差し込んだ状態では、プラグ７が前方に突き出してカバー７が閉じないようにして試験中の状態を視認できるようにいる。
【０００６】
また、前記カバー４はその一端を取付台枠３の前端にヒンジ結合し、取付基台３の他端側に設けたキャッチャー（締結金具）１０にカバー先端を係止して閉位置に固定するようにしている。
【０００７】
上記の構成で、インバータ装置の運転時には短絡プラグ７をダミーソケット６に差し込んで保管位置に保持し、カバー４は閉じておく。一方、インバータ装置の絶縁抵抗／耐電圧試験を実施する際には、電源，負荷から電力変換装置を断路した上で試験用回路短絡装置２のカバー４を開放し、ダミーソケット６に差し込んで保管していた短絡ソケット７を試験用ソケット５に差し替えてインバータ装置の主回路を短絡状態にする。
【特許文献１】特開平９−３０４４６３号公報
【発明の開示】
【発明が解決しようとする課題】
【０００８】
電力変換装置に前記の試験用回路短絡装置２を装備しておくことで、絶縁抵抗／耐電圧試験時に短絡プラグ７を差し替えるだけで主回路配線の短絡作業が簡単に行えるものの、作業員は短絡プラグ７の差し替え操作の他に、主回路に接続したノイズフィルタの接地回路を開放（専用の接地開放スイッチを開く、あるいは手作業で接地線をフレーム（接地点）から外す）する作業が必要であり、作業員がうっかり接地回路の開放操作を忘れたまま試験電圧を印加すると、思わぬ故障を引き起こすおそれがある。
【０００９】
本発明は上記の点に鑑みなされたものであり、前記した従来構造の試験用回路短絡装置をベースに、これに簡単な構造変更を加えることで主回路短絡機能と接地回路開放機能を持たせて試験時の作業簡素化が図れるように改良した電力変換装置の試験用回路短絡装置を提供することを目的とする。
【課題を解決するための手段】
【００１０】
上記目的を達成するために、本発明によれば、主回路に配線接続した短絡コネクタを金属製のカバー付き取付基台に搭載して主回路機器を格納した筐体のフレームに装着し、試験時には前記取付基台の前面に配したカバーを開放した上で、短絡コネクタに短絡プラグを差し込んで電力変換装置の主回路を短絡するようにした試験用回路短絡装置において、
前記のカバー付き取付基台をフレームから絶縁して装着した上で、主回路側から引出した接地線を前記の取付基台およびカバーを経由して接地点との間に配線し、試験時にカバーを開放した状態で接地線を接地点から切り離すようにするものとし（請求項１）、具体的には次記のような態様で構成する。
（１）背面に絶縁板を取付けた金属製の台枠と、該台枠の前端にヒンジ結合した片開き式の金属製カバーと、前記台枠と分離して前記絶縁板に取付け、かつその前端に前記カバーを閉位置に係止するキャッチャーを備えた金属製のキャッチャー受け台とで短絡コネクタの取付基台を構成し、さらに主回路側から引き出した接地線を、前記のキャッチャー受け台，カバーを経由して接地点との間に配線する（請求項２）。
（２）取付基台上に、前後方向の取付高さを変えて短絡コネクタと短絡プラグ保管用のダミーソケットとを並設する（請求項３）。
【発明の効果】
【００１１】
上記の構成によれば、絶縁抵抗／耐電圧試験の実施に際して試験用回路短絡装置のカバーを開くと、先ずカバー，キャッチャー受け台を経由して接地点に導通していた主回路の接地回路が開放し、またこの状態で短絡プラグを試験用ソケットに差し替えることで主回路が短絡状態となる。また、試験終了後に試験用ソケットから短絡プラグから抜いてダミーソケットに差し替えた上で、カバーを閉じると、主回路の短絡が開放されるとともに、接地回路も自動的に形成されて定常な配線状態に復帰する。
【００１２】
したがって、当該試験用回路短絡装置と別に専用の接地開放スイッチを設けて試験時に開放操作したり手作業で接地線を外す必要がなく、これにより従来装置と比べて試験作業が大幅に簡略化され、また接地回路の切り忘れミスも防止できる。
【発明を実施するための最良の形態】
【００１３】
以下、本発明の実施の形態を図１〜図３に示す実施例に基づいて説明する。
【実施例１】
【００１４】
まず、本発明の第１実施例の構成，動作を図１（ａ）〜（ｃ）および図２で説明する。この実施例の試験用回路短絡装置２は、図４で述べた従来の試験用回路短絡装置と基本的には同様であるが、その構造一部が次記の点が変更されている。すなわち、試験用ソケット５，ダミーソケット６の短絡コネクタを搭載した金属製の取付基台３は、その背面に絶縁板１１を取り付け、この絶縁板１１を介してフレーム１に装着している。また、取付基台３の前端にヒンジ結合した金属製のカバー４を閉位置に係止するキャッチャー１０は、前記取付基台３の台枠と切り離した別部品になる金属製のキャッチャー受け台１２の前端に設け、このキャッチャー受け台１２を前記絶縁板１１に結合した絶縁台１１ａに固定して試験用回路短絡装置２を構成している。
【００１５】
また、主回路側のノイズフィルタ（ライン・バイパス・コンデンサ）から引き出して接地点との間に配線する接地線については、その接地線の途中を分断した上で、ノイズフィルタ側の接地線１３を前記キャッチャー受け台１２に形成した端子１２ａに接続し、他方の接地線１４を図示のようにカバー４のヒンジ側に接続して接地点（フレーム）との間に配線するようにしている。
【００１６】
上記の構成で、図１（ｂ）のように短絡プラグ７をダミーソケット６に差し込み、カバー４を閉位置でキャッチャー１０に係止固定した定常の状態では、試験用ソケット５に接続した主回路の短絡用配線８が電気的に非短絡であり、主回路側から引出した接地線１３はキャッチャー受け台１２，キャッチャー１０，カバー４を経由して接地点との間に導通する短絡回路を形成している。
【００１７】
一方、絶縁抵抗／耐電圧試験の実施に際して、図２で表すようにキャッチャー１０の係止を解除してカバー４を開放すると、接地線１３と１４との間が断路されて主回路の接地が開放される。また、カバー４の開放操作に続いて、短絡プラグ７をダミーソケット６から抜いて試験用ソケット５に差し替えると、短絡用配線８を介して主回路が短絡状態となり、これで試験実施の準備が整う。なお、この状態では試験用ソケット５に差し込んだ短絡プラグ７（二点鎖線で表す）が前方に突き出していて、カバー４を閉じることができず、これにより試験中に誤ってカバー４を閉じて接地回路が形成されるのを防ぐことができる。
【００１８】
また、試験終了後は、短絡プラグ７を試験用ソケット５からダミーソケット６に差し替えると主回路の短絡状態が開放され、さらにカバー４を閉じてキャッチャー１０に係止すると、接地線１３による主回路の接地回路が自動的に形成されることになる。
【実施例２】
【００１９】
次に、前記実施例１の構造一部を変えた応用実施例を図３に示す。この実施例では、図１（ｂ）における絶縁台１１ａを省略し、キャッチャー受け台１２の後端部を絶縁板１１に直接ネジ止めしており、それ以外は図１の構造と同一で、使用方法も同様である。
【図面の簡単な説明】
【００２０】
【図１】本発明の実施例１に対応する試験用回路短絡装置の組立構造図で、（ａ），（ｂ），（ｃ）はそれぞれ正面図，側面図、平面図
【図２】図１の回路短絡装置で、カバーを開放した状態の側面図
【図３】本発明の実施例２に対応する試験用回路短絡装置の側面図
【図４】従来における試験用回路短絡装置の組立構造図で、（ａ），（ｂ），（ｃ）はそれぞれ正面図，側面図、平面図
【符号の説明】
【００２１】
１    フレーム
２    試験用回路短絡装置
３    取付基台
４    カバー
５    試験用ソケット
６    ダミーソケット
７    短絡プラグ
８    短絡用配線
１０    キャッチャー
１１    絶縁板
１２    キャッチャー受け台
１３，１４  接地線
【図１】
2007259680.tif 000003
【図２】
2007259680.tif 000004
【図３】
2007259680.tif 000005
【図４】
2007259680.tif 000006